(57)【要約】  【課題】  音声に限られることのないあらゆるコンテンツを要求された予約時間に配信し、受信装置に再生させることができるサーバ装置、受信装置、サーバプログラム、コンテンツ受信プログラム、コンテンツ配信方法およびコンテンツ受信方法を提供する。  【解決手段】  複数のコンテンツを記録してなるコンテンツデータベースと、予約を受け付ける予約受付部と、予約されたコンテンツを送信するコンテンツ送信部とを備えたサーバ装置、および、コンテンツの予約を行う予約設定部と、サーバ装置から受信するコンテンツを再生するコンテンツ再生部とを設けた受信装置とを備え、サーバ装置が予約された時刻に予約されたコンテンツを受信装置に対して送信し、再生装置がこれを再生する。  【選択図】  図１
2007011831.tif 000002
【特許請求の範囲】
【請求項１】
通信ネットワークを経由して受信装置にコンテンツを送信するサーバ装置であって、
前記受信装置に送信する複数のコンテンツを記録してなるコンテンツデータベースと、
時計と、
受信装置側からコンテンツとその送信時刻の予約を受け付ける予約受付部と、
前記予約された時刻に受信装置に対して再生要求信号を送信し、この受信装置が受信可能であるときに予約されたコンテンツを送信するコンテンツ送信部とを設けたことを特徴とするサーバ装置。
【請求項２】
前記受信装置に送信できたコンテンツに関するコンテンツ送信記録を残す送信記録部と、このコンテンツ送信記録に基づいて課金データベースに各受信装置毎の料金を記録する課金記録部とを設けた請求項1に記載のサーバ装置。
【請求項３】
通信ネットワークを経由してサーバ装置からコンテンツを受信する受信装置であって、
前記サーバ装置にアクセスすることによりサーバ装置に用意されたコンテンツとその送信時刻の予約を行う予約設定部と、
サーバ装置からの再生要求信号を受信した場合に、その要求に応じてコンテンツの再生準備を行う再生準備部と、
サーバ装置から受信するコンテンツを再生するコンテンツ再生部とを設けたことを特徴とする受信装置。
【請求項４】
前記コンテンツを受信する状態と、このコンテンツの受信を拒否する状態とを切り替え可能とする切替スイッチを設けた請求項３に記載の受信装置。
【請求項５】
演算処理部と、通信ネットワークを経由して複数の受信装置と通信することにより各受信装置にコンテンツを送信する通信部と、前記受信装置に送信する複数のコンテンツを記録してなるコンテンツデータベースと、時計とを備えたサーバ装置にインストールされ、
前記演算処理部に、受信装置側からコンテンツとその送信時刻の予約を受け付けさせ、これを予約リストとして記録させる予約受付プログラムと、
前記予約リストに予約された時刻に受信装置に対して再生要求信号を送信させると共に、この再生要求信号に対する応答に応じて受信装置が受信可能であるときに予約されたコンテンツを送信させるコンテンツ送信プログラムとを有することを特徴とするサーバプログラム。
【請求項６】
演算処理部と、通信ネットワークを経由してサーバ装置からコンテンツを受信する通信部と、通信ネットワークを経由して再生要求信号を受信待機して再生要求信号の受信時に演算処理部を起動させる受信待機部とを備えた受信装置にインストールされ、
前記演算処理部に、前記サーバ装置にアクセスさせてサーバ装置に用意されたコンテンツとその送信時刻の予約を行わせる予約設定プログラムと、
サーバ装置から受信したコンテンツを再生させるコンテンツ再生プログラムと、
前記再生要求信号を受信した場合にコンテンツ再生プログラムを起動させる一方、サーバ装置にコンテンツの受信準備完了を通知させる自動受信準備プログラムとを実行させることを特徴とするコンテンツ受信プログラム。
【請求項７】
通信ネットワークを用いて複数の受信装置と接続し、
各受信装置側からコンテンツとその送信時刻の予約を受け付ける一方、
予約された時刻に、受信装置に対して再生要求信号を送信し、この再生要求信号に対する応答から受信装置が受信可能であることを確認した後に、予約されたコンテンツを送信することを特徴とするコンテンツ配信方法。
【請求項８】
通信ネットワークを用いてサーバ装置と接続し、サーバ装置に用意されたコンテンツの送信時刻を予約する一方、
サーバ装置から受信する再生要求信号を待機し、
この再生要求信号を受信したときにコンテンツの再生準備を行うと共に、
サーバ装置に受信準備完了を通知し、
続けてサーバ装置からコンテンツを受信してこれを再生させることを特徴とするコンテンツ受信方法。
【発明の詳細な説明】
【技術分野】
【０００１】
本発明は、通信ネットワークを経由して接続される複数の受信装置に種々のコンテンツを配信するコンテンツ配信システムにおけるサーバ装置、受信装置、サーバプログラム、コンテンツ受信プログラム、コンテンツ配信方法およびコンテンツ受信方法に関する。
【背景技術】
【０００２】
従来より、通信ネットワークを経由して様々な情報を複数の受信装置に対して送信するシステムが考えられている。
例えば、特許文献１には、音声信号による通信を行うＩＰ電話サービスの加入者が所有する電話端末（ＩＰ電話）に対して、通信ネットワークを経由して音声メッセージを送信するメッセージ送信システムが記載されている。
【０００３】
前記メッセージ送信システムでは、利用者がＩＰ電話を操作してメッセージ送信手段にアクセスし、音声メッセージの送信予約時間や音声メッセージの種別を入力することにより、音声メッセージの送信の予約を行うことができる。また、メッセージ送信手段は、要求した送信予約時間にＩＰ電話を呼び出し、利用者がＩＰ電話の話器をとったときに、登録された音声メッセージを送信する。
【特許文献１】特開２００４−６４５６６号公報
【発明の開示】
【発明が解決しようとする課題】
【０００４】
ところが、特許文献１のもののように構成すると、利用者がＩＰ電話のコールに応答して受話器をとらない限り音声メッセージを聞くことができなかった。また、ＩＰ電話を用いるので、受信できる内容は音声メッセージだけに限られていた。
【０００５】
さらに、ＩＰ電話を用いるとき、利用者がメッセージ送信手段に対して予約を行うときにも任意の音声メッセージを選択する操作が煩わしくならざるを得ず、予約時間の入力や確認などの操作性も悪かった。
【０００６】
本発明は、上述のような課題を考慮に入れてなされたものであって、その目的は音声に限られることのないあらゆるコンテンツを要求された予約時間に配信し、受信装置に再生させることができるサーバ装置、受信装置、サーバプログラム、コンテンツ受信プログラム、コンテンツ配信方法およびコンテンツ受信方法を提供することである。
【課題を解決するための手段】
【０００７】
上記課題を解決するために、請求項１に係るサーバ装置は、通信ネットワークを経由して受信装置にコンテンツを送信するサーバ装置であって、前記受信装置に送信する複数のコンテンツを記録してなるコンテンツデータベースと、時計と、受信装置側からコンテンツとその送信時刻の予約を受け付ける予約受付部と、前記予約された時刻に受信装置に対して再生要求信号を送信し、この受信装置が受信可能であるときに予約されたコンテンツを送信するコンテンツ送信部とを設けたことを特徴としている。
【０００８】
前記サーバ装置はコンテンツデータベースに記録されたコンテンツの中から予約を受けたコンテンツを予約された時刻に受信装置に送信することができる。つまり、受信装置が受信可能な状態であればコンテンツを一方的に送信できるので、利用者がコンテンツを受信するために何らかの操作を行う必要が一切ない。サーバ装置は予約した時刻に予約したコンテンツを自動的に送信できる。
【０００９】
なお、本発明における「コンテンツ」とは、音楽や言葉などを含む音および／または映像（静止画であっても動画であってもよい）である。また、再生要求信号は例えばＳＩＰ（Session Initiation Protocol）と呼ばれるプロトコルであってもよい。
【００１０】
前記受信装置に送信できたコンテンツに関するコンテンツ送信記録を残す送信記録部と、このコンテンツ送信記録に基づいて課金データベースに各受信装置毎の料金を記録する課金記録部とを設けた場合（請求項２）には、コンテンツを配信できた場合に、その内容に応じて適正な課金料金を記録することができる。
【００１１】
請求項３に記載の受信装置は、通信ネットワークを経由してサーバ装置からコンテンツを受信する受信装置であって、前記サーバ装置にアクセスすることによりサーバ装置に用意されたコンテンツとその送信時刻の予約を行う予約設定部と、サーバ装置からの再生要求信号を受信した場合に、その要求に応じてコンテンツの再生準備を行う再生準備部と、サーバ装置から受信するコンテンツを再生するコンテンツ再生部とを設けたことを特徴としている。
【００１２】
利用者は受信装置を操作することにより、前記予約設定部を用いて任意のコンテンツとその送信時刻を予約することができる。なお、前記コンテンツ再生部には、例えば表示部と発音部とが含まれており、予約設定部によってコンテンツを選択する場合や予約時刻を設定する場合にも、表示部や発音部によってコンテンツの内容やタイトルを確認しながら前記予約設定を行えるようにすることが望ましい。
【００１３】
また、前記受信装置は、利用者が予約した時刻になればコンテンツが自動的に配信され、受信できたコンテンツはコンテンツ再生部によって再生されるので、利用者は何ら特別な操作をすることなくコンテンツを楽しむことができる。加えて、前記コンテンツは音声に限られるものではなく、映像などを組み合わせたものであってもよいから、音と映像によって、有名人によるモーニングサービス、最新ヒット音楽、ニュース、天気予報などの趣向を凝らした種々のサービスの提供を受けることも可能である。
【００１４】
前記コンテンツを受信する状態と、このコンテンツの受信を拒否する状態とを切り替え可能とする切替スイッチを設けた場合(請求項４）には、利用者がコンテンツの受信を行いたくない場合に、前記予約設定部を用いて予約を変更することなく、コンテンツの受信を拒否することができる。とりわけ、受信装置が専用端末である場合には、前記切替スイッチとして、例えば前記再生準備部への電源供給を切断できる電源スイッチを設けることが好ましい。
【００１５】
また、受信装置が専用端末であれば、各受信装置にそれぞれ予め識別情報やパスワードなどの識別コードを設定することも可能であり、この識別コードを用いてサーバ装置に対するアクセス権を自動的に獲得するようにすることが好ましい。つまり、利用者は受信装置の専用端末を用いることにより、複雑な手続きをすることなくサーバ装置に接続することができる。
【００１６】
請求項５に記載のサーバプログラムは、演算処理部と、通信ネットワークを経由して複数の受信装置と通信することにより各受信装置にコンテンツを送信する通信部と、前記受信装置に送信する複数のコンテンツを記録してなるコンテンツデータベースと、時計とを備えたサーバ装置にインストールされ、前記演算処理部に、受信装置側からコンテンツとその送信時刻の予約を受け付けさせ、これを予約リストとして記録させる予約受付プログラムと、前記予約リストに予約された時刻に受信装置に対して再生要求信号を送信させると共に、この再生要求信号に対する応答に応じて受信装置が受信可能であるときに予約されたコンテンツを送信させるコンテンツ送信プログラムとを有することを特徴としている。
【００１７】
前記サーバプログラムを実行することにより、サーバ装置は通信ネットワークに接続された各受信装置にコンテンツを配信することができる。つまり、サーバ装置に特別なハードウェアは不要であり、その製造コストを削減することができる。
【００１８】
請求項６に記載のコンテンツ受信プログラムは、演算処理部と、通信ネットワークを経由してサーバ装置からコンテンツを受信する通信部と、通信ネットワークを経由して再生要求信号を受信待機して再生要求信号の受信時に演算処理部を起動させる受信待機部とを備えた受信装置にインストールされ、前記演算処理部に、前記サーバ装置にアクセスさせてサーバ装置に用意されたコンテンツとその送信時刻の予約を行わせる予約設定プログラムと、サーバ装置から受信したコンテンツを再生させるコンテンツ再生プログラムと、前記再生要求信号を受信した場合にコンテンツ再生プログラムを起動させる一方、サーバ装置にコンテンツの受信準備完了を通知させる自動受信準備プログラムとを実行させることを特徴としている。
【００１９】
前記コンテンツ受信プログラムを実行することにより、ごく一般的なコンピュータを通信装置とすることができ、コンテンツとその送信時刻の予約を行い、このコンテンツを予約した時刻に受信して再生することができる。前記自動受信準備プログラムは、再生要求信号を受信してコンテンツ再生プログラムを起動させた後にサーバ装置に受信準備完了を通知するので、コンピュータの動作が遅くても、コンテンツを確実に受けることができる。また、コンピュータが通信ネットワークを経由してウェイクアップ信号を受信したときに演算処理部を起動させる機能を備えたものであれば、コンピュータを常時起動させておかなくても予約したコンテンツを受信することができる。
【００２０】
前記予約設定プログラムは例えば予め設定されたアドレスのサーバ装置にアクセスするものであり、例えば、予め設定された各受信装置を識別するための識別情報やパスワードなどの識別コードを記憶して、この識別コードを用いてサーバ装置に対するアクセス権を自動的に獲得するものであることが望ましい。
【００２１】
請求項７に記載のコンテンツ配信方法は、通信ネットワークを用いて複数の受信装置と接続し、各受信装置側からコンテンツとその送信時刻の予約を受け付ける一方、予約された時刻に、受信装置に対して再生要求信号を送信し、この再生要求信号に対する応答から受信装置が受信可能であることを確認した後に、予約されたコンテンツを送信することを特徴としている。
【００２２】
前記コンテンツ配信方法によれば、各コンテンツを予約された時刻に各受信装置に配信することができる。各コンテンツの送信の際には、再生要求信号に対する応答から受信装置の状態を確認してから送信するので、一方的な送信であっても受信装置はこれを受信することができる。
【００２３】
請求項８に記載のコンテンツ受信方法は、通信ネットワークを用いてサーバ装置と接続し、サーバ装置に用意されたコンテンツの送信時刻を予約する一方、サーバ装置から受信する再生要求信号を待機し、この再生要求信号を受信したときにコンテンツの再生準備を行うと共に、サーバ装置に受信準備完了を通知し、続けてサーバ装置からコンテンツを受信してこれを再生させることを特徴としている。
【００２４】
前記コンテンツ受信方法によれば、サーバ装置からの再生要求信号を受信したときに適切な準備を行って、利用者の手を煩わすことなく自動的に続けて受信するコンテンツを再生することができる。
【発明の効果】
【００２５】
上述したように本発明のサーバ装置、受信装置、サーバプログラム、コンテンツ受信プログラム、コンテンツ配信方法およびコンテンツ受信方法によれば、各受信装置側からサーバ装置に容易にアクセスし、サーバ装置に記憶させた複数のコンテンツの中からコンテンツの種類および送信時刻を選択できる。また、送信時刻になればサーバ装置から受信装置にコンテンツを送信でき、受信装置側ではこれを操作することなくコンテンツを再生できる。
【発明を実施するための最良の形態】
【００２６】
図１〜６は本発明の第１実施例を説明する図であり、図１はサーバ装置１と受信装置２とこれらの装置１，２を接続する通信ネットワーク３の構成を示す図、図２は前記サーバ装置１と受信装置２の内部構成を示す図、図３，４はサーバプログラムの動作を示す図、図５，６はコンテンツ受信プログラムの動作を説明する図である。
【００２７】
図１に示すサーバ装置１は例えば表示部１ａと、入力部１ｂとを備え、少なくとも通信ネットワーク３を経由して各受信装置２に送信する複数のコンテンツを記録してなるコンテンツデータベース１０と、予約リストデータベース１１と、課金データベース１２（課金記録部）とを備える。
【００２８】
前記コンテンツデータベース１０に登録されるコンテンツは種々考えられるが、例えばモーニングコールや、種々の歌謡曲や、小鳥のさえずりなどの生活環境の映像と音楽を組み合わせたものなど、固定的に記録したものに加えて、最新のヒット曲、最新ニュース、天気予報、時報といった時々刻々と変化するものも含まれる。
【００２９】
前記コンテンツは音声や音楽などを含む音と、動画や静止画を含む映像とを組み合わせたものであることが好ましいが、音または映像だけであってもよい。前記動画は撮像した画像を所定の方式で圧縮したものであってもよいが、受信装置２側で描画するベクトルデータによるものであってもよい。
【００３０】
また、予約リストデータベース１１は例えば各受信装置２毎のパスワードなどのセキュリティ情報を含み個々の受信装置２を識別することができる識別情報と、各受信装置２毎に予約されたコンテンツの内容と、送信時刻と、その他の設定情報とを記録するものである。さらに、課金データベース１２は各受信装置２毎に送信できたコンテンツを追加記録するものである。
【００３１】
受信装置２は専用端末２Ａ、２Ｃや、コンピュータに後述のコンテンツ再生プログラムＰをインストールしたもの２Ｂや、携帯電話やＰＤＡのような移動端末２Ｃ，２Ｄなど種々の形態が考えられるが、第１実施例の受信装置２Ａは専用端末である。この受信装置２は、例えば表示部２０と、左右一対の発音部２１と、入力部２２と、電源スイッチ２３とを備える。
【００３２】
通信ネットワーク３は例えばインターネットなどのグローバルなネットワークであることが好ましいが、ＬＡＮを含む専用回線のイントラネットであってもよい。また、通信ネットワーク３は、様々な通信形態が考えられるがサーバ装置１から配信されるコンテンツが音と映像を含むものであるから、高い回線速度を有するものであることが望ましく、例えば光ケーブルを用いたものであることが望ましい。
【００３３】
前記表示部２０は例えば液晶表示パネルからなるディスプレイであることが消費電力を押さえることができて好ましいが、本発明は表示部２０の構成を限定するものではない。発音部２１は例えば左右のスピーカ２１Ｌ，２１Ｒからなることにより、音楽などに臨場感を持たせることができるが、発音部２１は単一のスピーカであっても、３個以上のスピーカを有するものであってもよい。
【００３４】
図１に示す、入力部２２は上下の方向キー２２Ｕ，２２Ｄ，２２Ｒ，２２Ｌと、決定キー２２Ｅとを備えるものであるが、テンキーやそれぞれの機能を有するキーを設けてもよい。
【００３５】
電源スイッチ２２は受信装置２の電源を切断するものであり、受信装置２の状態は例えばサーバ装置１からの再生要求信号を待機する待機状態と、完全に停止して再生要求信号に応答しない停止状態とを切り替えられるように構成してある。すなわち、本実施例では電源スイッチが、コンテンツを受信する状態と、コンテンツの受信を拒否する状態とを切り替え可能とする切替スイッチである。
【００３６】
図２はサーバ装置１と受信装置２の構成を示すブロック図である。図２に示すように、サーバ装置２は演算処理部１３と、通信ネットワーク３を介する各種データの入出力を行う通信部１４と、時計部１５とを備え、演算処理部１３は図外の記録部に記録されたサーバプログラム１６を読み出して実行することにより、種々の処理を行う。
【００３７】
１７〜１９は演算処理部１３が前記サーバプログラム１６を実行することによって行う処理の内容をブロックにして示すものであり、１７は予約受付部、１８はコンテンツ送信部、１９は課金記録部である。各部１７〜１９はそれぞれ対応する予約受付プログラム、コンテンツ送信プログラム、課金記録プログラムを実行して得られるものであるから、以下の説明では、予約受付プログラム１７、コンテンツ送信プログラム１８、課金記録プログラム１９と表現することもある。なお、１８ａはコンテンツ合成部であり、複数のコンテンツを合成して一つのコンテンツを生成するプログラムからなる。また、各部１７〜１９，１８ａは本実施例ではソフトウェアによって実現する例をしめしているが、これらをハードウェアによって構成してもよいことはいうまでもない。
【００３８】
前記時計部１５は好ましくは万年時計であり、演算処理部１３からの要求に応じて時刻のみならず、年月日や曜日や祝祭日の情報などを提供するものである。すなわち、前記予約リストデータベース１１には予約する送信時刻として、時間のみならず年月日や曜日、祝祭日に相当するかどうかに応じても、詳細な設定が行えるようにしている。
【００３９】
前記予約受付部１７は受信装置２からコンテンツとその送信時刻の予約を受け付ける部分であり、受け付けた予約を予約リストデータベース１１に記録するものである。
【００４０】
前記コンテンツ送信部１８は予約リスト１１に記録された予約リストに従って動作するものであり、前記時計部１５が示す時刻が予約された時刻に近づいた時点で予約のあった受信装置２に再生要求信号Ｒｑを送信すると共に、この受信装置２が受信可能であるときに予約されたコンテンツＣを送信するものである。なお、このとき必要に応じてコンテンツ合成部１８ａを用いて複数のコンテンツを合成し、利用者の好みに合わせたコンテンツＣを送信する。
【００４１】
課金記録部１９はコンテンツ送信部１８によってコンテンツＣの送信が行うことができたときに、このコンテンツ送信記録に基づいて、予約リストデータベース１１に記録された各受信装置２毎の料金を課金データベース１２に課金情報として記録するものである。
【００４２】
一方、受信装置２において、２４は演算処理部、２５は通信ネットワーク３を介する各種データの入出力を行う通信部、２６は通信部２５に連結された再生準備部である。また、演算処理部２４は図外の記録部に記録されたコンテンツ受信プログラム２７を実行することにより、種々の処理を行うことができる。
【００４３】
２８，２９は演算処理部２４が前記コンテンツ受信プログラム２７を実行することによって行う処理の内容をブロックにして示すものであり、２８は予約設定部、２９はコンテンツ再生部である。各部２８，２９はそれぞれ対応する予約設定プログラム、コンテンツ再生プログラムを実行して得られるものであるから、以下の説明では、予約設定プログラム２８、コンテンツ再生プログラム２９と表現することもある。
【００４４】
前記再生準備部２６および通信部２５は、前記切替スイッチ２３によって完全に停止した状態にされない限り、通信ネットワーク３から受信装置２に宛てて送られるデータを受信する待機状態にあり、再生準備部２６は前記要求信号Ｒｑを受信した時点で演算処理部２４が停止状態であればこれを起動させて、続くコンテンツＣの受信に備えさせるものである。また、前記要求信号Ｒｑを受信したことをサーバ装置１に通知する準備完了信号Ａｃを送信する。なお、前記要求信号Ｒｑや準備完了信号Ａｃのやりとりは、ＳＩＰなどのプロトコルに準拠したものであってもよい。
【００４５】
前記予約設定部２８はサーバ装置１にアクセスすると共に、入力部２２を用いた入力操作に従ってサーバ装置１に用意されたコンテンツとその送信時刻の予約を行うものである。また、予約した情報は表示部２０に表示するので、利用者はこれを容易に確認することができる。
【００４６】
前記コンテンツ再生部２９はサーバ装置１から受信したコンテンツＣを表示部２０および発音部２１によって再生させるものである。
【００４７】
図３は前記予約受付プログラム１７の動作を説明する図である。図３において、Ｓ１は通信ネットワーク３を介する受信装置２からの接続要求を待ち受けするステップである。このステップＳ１において、受信装置２から接続要求を受信した場合には、次のステップＳ２に進む。なお、ここで受信装置２からの接続要求を受けるときに、受信装置２の識別情報などを確認することにより、セキュリティを向上させることができることはいうまでもない。
【００４８】
Ｓ２は現在の予約内容を受信装置２に送信するステップである。これによって、受信装置２では、図１に示すような画面３０，４０，５０，６０，７０を表示することができる。なお、図１に示す画面の例は本発明を説明するために挙げた一例にすぎず、本発明を限定するものではないことはいうまでもない。
【００４９】
Ｓ３は予約内容の変更を行う受信装置２からの受信を待ち受けするステップである。このステップＳ３の処理は、十分に長い時間行うことができる。しかしながら、回線故障などの影響で通信が途絶えることも考えられるので、道理にかなった時間だけ待機した後に終了することも可能である。
【００５０】
Ｓ４は受信装置２から受信したデータが予約内容の変更であるかどうかを判断するステップである。ここで受信したデータが予約内容を変更するものであれば、次のステップＳ５に示すように求められた予約内容の変更を行って再びステップＳ２に処理を戻す。すなわち、受信装置２では、変更した内容を順次確認することができる。
【００５１】
Ｓ６は前記ステップＳ４において、受信したデータが予約内容の変更でないと判断された場合に実行されるものであり、前記データが予約の終了を示すものであるかどうかを判断するステップである。ここで、予約の終了と判断された場合は、処理を終了し、それ以外の場合は前記ステップＳ２に戻る。
【００５２】
次に、図４は受信装置２における予約設定プログラム２８の動作を説明する図である。図４において、Ｓ１０はサーバ装置１への接続を行うステップである。なお、このとき受信装置２は予め記憶してあるサーバ装置１のアドレスに対してアクセスを行い、自らに予め割り当てられたパスワードを含む識別情報をサーバ装置１に送信することにより、極めて容易に接続を開始できるように構成してある。
【００５３】
Ｓ１１はサーバ装置１から送られた現在の予約内容を表示するステップである。なお、図１に示すように、このとき画面３０，４０，５０，６０，７０には利用者が入力部２２の操作によって選択して操作できるボタンなどの入力部３１，３２，４１〜４５，５１〜５５，６１〜６５，７１〜７６などが含まれている。
【００５４】
Ｓ１２は利用者による入力を待ち受けてこれが終了入力であるかどうかを判断するステップである。つまり、図１に示す例では、前記入力部３１，４１〜４５，５１〜５５，６１〜６５，７１〜７６を用いた入力操作が行われた場合は、続くステップＳ１３が実行され、サーバ装置１に予約内容の変更を送信し、前記ステップＳ１１に戻る。
【００５５】
Ｓ１４は前記ステップＳ１２において予約終了であると判断した場合、すなわち、図１における入力ポタン３２の操作が行われた場合に実行されるステップであり、ここでサーバ装置１に予約終了を通知する。
【００５６】
また、Ｓ１５は受信装置１５を待機状態にするステップであり、これによって表示部２０や発音部２１の電源を切断し演算処理部２４は停止状態となる。
【００５７】
以上のように構成された予約設定プログラム２８および予約受付プログラム１７の動作によって、利用者は望みのコンテンツを望みの時刻に受信するように設定することができる。また、このときに図１のように、予約内容が表示部２０に表示されるので、利用者はこれを見ながら一覧表示された入力部３１，４１などから望みのコンテンツを選び、これを設定することができる。なお、実際に予約したコンテンツがどのようなものとなるかプリビュー画面４６に表示されるようにしてもよい。
【００５８】
前記送信時刻の設定も、開始時刻に加えて曜日や年月日の設定も可能であり、祝祭日を考慮に入れた設定もしてもよい。さらに、終了時刻の設定も、所定の長さの時間であったり、所定のコンテンツの終了時であったり、所定の時刻であってもよい。さらには、終了時刻をあえて定めないようにするなど、種々の選択を可能とすることが望ましい。
【００５９】
加えて、前記メインコンテンツと共に、付加的なコンテンツを共に供給できるような設定も可能である。図１に示す例の場合は、時刻、ニュース、天気、ヒット曲のような付加的なコンテンツをメインコンテンツに重ねて供給するように設定する例を示している。なおこのようなコンテンツの合成は前記コンテンツ合成部１８ａなどを用いて行われる。
【００６０】
次に、図５を参照しながら、サーバ装置１側のコンテンツ送信プログラム１８と課金記録プログラム１９の動作を説明する。Ｓ２０は時計部１５を確認して予約リストデータベース１１に記録された予約リスト内の何れかの送信時刻（実際には予約された送信時刻よる例えば数分早い時刻）になったかどうかを判断するステップである。
【００６１】
Ｓ２１は予約された送信時刻において予約のあった受信装置２に再生要求信号Ｒｑを送信するステップである。なお、前記ステップＳ２０において予約リストに記録された送信時刻より数分早い時刻にステップＳ２１の処理を実行することにより、受信装置２に幾らかの準備時間を与えて再生要求信号Ｒｑを送信することができる。
【００６２】
Ｓ２２は前記再生要求信号Ｒｑに対する応答（前記準備完了信号Ａｃの受信）から受信装置の準備が完了したかどうかを判断するステップである。このステップＳ２２において道理にかなった時間（例えば数分間）待機しても応答が得られない場合には送信を断念してステップＳ２０に戻り、応答があれば次のステップＳ２３に進む。
【００６３】
そして、Ｓ２３は予約されたコンテンツＣを送信するステップである。なお、このコンテンツＣの送信時に通信エラーなどによって道理にかなった時間だけ送信ができなくなるとステップＳ２３の処理を終了する。
【００６４】
Ｓ２４はコンテンツＣを送信できたことに伴って課金データベースに課金情報を追記するステップである。つまり、予約リストデータベース１１にに記録された受信装置２毎に課金情報をまとめて記録し、コンテンツＣが送信できた場合にのみ所定の課金情報を追記する。なお、この課金情報の追記はコンテンツＣの送信の前に行われてもよい。
【００６５】
Ｓ２５は予約リストデータベース１１の記録を基に予約された全てのコンテンツＣの送信が完了したかどうかを判断するステップである。なお、このコンテンツＣの送信完了は予約リストデータベース１１に記録されている送信時間（終了時刻）によっても判断される。そして、全てのコンテンツＣの送信が終了していないと判断した場合はステップＳ２３に戻り、コンテンツＣの送信が終了したと判断した場合は前記ステップＳ２０に戻る。
【００６６】
図６は受信装置２によるコンテンツＣの受信に係わる動作を説明する図である。なお、本実施例の場合、受信装置２が専用機であり、通信部２５に再生準備部２６を連設するように構成しているので、以下のステップＳ３０〜３２の処理は再生準備部２６によって行われ、ステップＳ３３，Ｓ３４の処理は演算処理部２４がコンテンツ再生プログラム２９を実行することによって行われる。
【００６７】
Ｓ３０はサーバ装置１からの再生要求信号Ｒｑを受信待機するステップである。すなわち、通信部２５および再生準備部２６は切替スイッチ２３を用いて特別に設定しない限り、通信ネットワークからの信号を常に受信可能に構成している。そして、再生要求信号Ｒｑを受信した場合には続くステップＳ３１の処理を実行する。
【００６８】
Ｓ３１は演算処理部２４を起動するステップである。なお、これに伴って各周辺回路２０〜２２も起動する。すなわち、受信装置２は非通信時には各部２０〜２４の動作を止めることにより、その消費電力を抑えるように構成している。
【００６９】
Ｓ３２は準備完了信号Ａｃをサーバ装置１に送信するステップである。この準備完了信号Ａｃは各部２０〜２４が起動したことを確認してから送信することが望ましい。サーバ装置１はこの準備完了信号Ａｃを受信することにより、受信装置２がコンテンツＣを受信できる状態であることを確認することができる。
【００７０】
Ｓ３３はサーバ装置１からコンテンツＣを受信してこれを再生するステップである。このステップＳ３３の動作は、サーバ装置１からコンテンツＣが送られてくる限り続けられる。そして、回線の混雑などによる遅れを考慮した道理にかなった時間にわたってコンテンツＣのデータを受信できなくなった時点で、次のステップＳ３４に処理を進める。
【００７１】
Ｓ３４は各部２０〜２４の動作を止めて再び待機状態に戻すステップである。
【００７２】
以上のように構成された受信装置２は、通信ネットワーク３に接続しているだけで、予約した時刻になるとサーバ装置１からの再生要求信号Ｒｑを自動受信してコンテンツの再生準備を行い、さらに、サーバ装置１から受信するコンテンツＣを受信し、これらを表示部２０および発音部２１に再生することができる。したがって、利用者は受信装置２を何ら操作することなく、予約した時刻になると、予約したコンテンツＣを楽しむことができる。
【００７３】
コンテンツＣとして、例えばモーニングコールなどを設定すると、小鳥のさえずりや、お気に入りのミュージックアートや、有名人による映像付きのモーニングコールを得ることができる。コンテンツＣとして天気予報やニュースやヒット曲などの最新情報もチェックするようにしてもよい。さらに、コンテンツＣとして日常生活雰囲気を設定すると、外出時に人の気配を再生することにより防犯に用いることもできる。
【００７４】
コンテンツＣの送信終了時間を設定する場合には、指定した時刻においてコンテンツＣの再生が自動的に停止し、再び待機状態に戻るので、このときにも利用者は受信装置２を操作する必要がない。また、コンテンツＣを受信したくない場合は切替スイッチ２３を用いて再生準備部２６を含む全ての電源を切断することにより、コンテンツＣの受信に伴う課金がかかることはないので手軽である。
【００７５】
なお、上述した実施例では、受信装置２が専用機である例を示しているが、本発明は受信装置２を得るためのプラットフォームを専用機に限定するものではないことはいうまでもない。すなわち、受信装置２は通常のコンピュータであってもコンテンツ受信プログラムＰをインストールした状態で常時起動したものであってもよい。なお、特にウェイクアップ信号によって遠隔起動ができるコンピュータを用いることにより、コンピュータを常に起動させておかなくてもよい。
【００７６】
図２に示す受信装置２Ｂは本発明の第２実施例に対応するものであり、図７は遠隔起動機能を有する汎用のコンピュータにコンテンツ再生プログラムＰをインストールした状態の受信装置２Ｂの構成を示す図であり、図８はこの受信装置２ＢにおけるコンテンツＣの受信に係わる動作を説明する図である。
【００７７】
図７において、図２と同じ符号を付した部分は同一または同等であるから、その詳細な説明を省略する。図７において、８０は通信部２５に連設して設けられた遠隔起動部、８１は自動受信準備部である。
【００７８】
前記、遠隔起動部８０は通信部２５に連設するハードウェアであって、前記コンテンツ送信部１８から送られる再生要求信号の一例であるウェイクアップ信号Ｗを受信したときに演算処理部２４を含むシステムの各部２０〜２２を遠隔起動するものであり、自動受信準備部８１は演算処理部２４によって実行される自動受信プログラムによって実現されるものであり、例えば、コンピュータの起動時に実行されるイニシャルコマンドなどが考えられ、以下、これを自動受信準備プログラム８１と表現することもある。
【００７９】
前記自動受信準備プログラム８１は、前記コンテンツ再生プログラム２９を起動させるものである。なお、本実施例ではプラットフォームが汎用のコンピュータである例を示しているが、これに代えてＰＤＡなどを用いた受信装置２Ｅの場合は、遠隔操作部８０は通信カードであり、携帯電話を受信装置２Ｄとして用いる場合には、常に待ち受け状態であるからＳＩＰなどの既存のプロトコルによって容易に起動できる。
【００８０】
したがって、前記遠隔起動部８０と自動受信準備部８１とを合わせて再生準備部８２を構成する。前記各プログラム２８，２９、８１はコンテンツ受信プログラム８３を構成する。このコンテンツ受信プログラム８３は、例えば、図１に示すように、ＣＤ−ＲＯＭのような記録媒体を介してコンピュータにインストールされる。なお、ＰＤＡや携帯電話を受信装置２Ｅ，２Ｄとして用いる場合には、コンテンツ受信プログラム８３はダウンロードやメモリ媒体などを用いてインストールされる。
【００８１】
図８において、Ｓ４０はサーバ装置１からのウェイクアップ信号（再生要求信号）Ｗを受信待機するステップである。すなわち、通信部２５および遠隔起動部８０は、通信ネットワーク３に接続されているかぎり、通信ネットワーク３からの信号を常に受信可能に構成している。そして、再生要求信号Ｗを受信した場合には続くステップＳ４１の処理を実行する。
【００８２】
Ｓ４１は演算処理部２４および周辺部２０〜２２を起動するステップである。なお、コンピュータには多くの周辺回路が備わっているがその図示を省略している。すなわち、受信装置２Ｂとして機能するコンピュータは常に動作している必要はない。
【００８３】
Ｓ４２は演算処理部２４にコンテンツ再生プログラム２９を実行させるステップであり、Ｓ４３は準備完了信号Ａｃをサーバ装置１に送信するステップである。この準備完了信号Ａｃはコンテンツ再生プログラム２９が起動したことを確認してから送信することが望ましい。したがって、これらのステップＳ４２，Ｓ４３が自動受信準備プログラム８１の動作を示している。
【００８４】
Ｓ４４はサーバ装置１からコンテンツＣを受信してこれを再生するステップである。このステップＳ４４の動作は、サーバ装置１からコンテンツＣが送られてくる限り続けられる。そして、回線の混雑などによる遅れを考慮した道理にかなった時間にわたってコンテンツＣのデータを受信できなくなった時点で、次のステップＳ４５に処理を進める。
【００８５】
Ｓ４５は各部２０〜２４の動作を止めて再び待機状態に戻すステップである。
【００８６】
上述した実施例のように、受信装置２は専用端末である必要はなく、コンテンツ再生プログラムＰをインストールするだけで、汎用のコンピュータ、ＰＤＡ、携帯電話などをプラットフォームとして用いることができる。
【図面の簡単な説明】
【００８７】
【図１】本発明の第１実施例にかかるサーバ装置および受信装置の全体を示す図である。
【図２】前記サーバ装置と受信装置の構成を説明するブロック図である。
【図３】予約受付プログラムの動作を説明する図である。
【図４】予約設定プログラムの動作を説明する図である。
【図５】コンテンツ送信プログラムおよび課金記録プログラムの動作を説明する図である。
【図６】受信装置側のコンテンツ再生に係る動作を説明する図である。
【図７】第２実施例に係るサーバ装置と受信装置の構成を示すブロック図である。
【図８】前記受信装置側のコンテンツ再生に係る動作を説明する図である。
【符号の説明】
【００８８】
１          サーバ装置
２          受信装置
３          通信ネットワーク
１０        コンテンツデータベース
１１        予約リスト
１２        課金データベース
１３        演算処理部
１６        サーバプログラム
１７        予約受付部（予約受付プログラム）
１８        コンテンツ送信部（コンテンツ送信プログラム）
１９        課金記録部
２０        表示部
２１        発音部
２３        切替スイッチ
２４        演算処理部
２６、８２  再生準備部
２７、８３  コンテンツ受信プログラム
２８        予約設定プログラム
２９        コンテンツ再生プログラム
【図１】
2007011831.tif 000003
【図２】
2007011831.tif 000004
【図３】
2007011831.tif 000005
【図４】
2007011831.tif 000006
【図５】
2007011831.tif 000007
【図６】
2007011831.tif 000008
【図７】
2007011831.tif 000009
【図８】
2007011831.tif 000010